【手続補正書】
【提出日】平成28年7月22日(2016.7.22)
【手続補正１】
【補正対象書類名】特許請求の範囲
【補正対象項目名】全文
【補正方法】変更
【補正の内容】
【特許請求の範囲】
【請求項１】
印刷ジョブを投入したユーザを識別するユーザ識別情報と、前記印刷ジョブと、を関連付けて記憶する記憶手段と、
通信端末装置との通信により前記ユーザの接近を検知する検知手段と、
接近が検知されたユーザのユーザ識別情報と関連付けられた前記印刷ジョブに基づき出力された印刷物が、排紙トレイに存在するか否かを判定する判定手段と、
前記接近が検知されたユーザのユーザ識別情報と関連付けられた前記印刷ジョブに基づき出力された印刷物が排紙トレイに存在すると前記判定手段により判定された場合、前記ユーザに警告を行う警告手段と、
を有する画像形成装置。
【請求項２】
第２の印刷ジョブの印刷の前に、第１の排紙トレイに第１のユーザのユーザ識別情報と関連付けられた第１の印刷ジョブに基づき出力された第１の印刷物が存在する場合、前記第１の印刷物を第２の排紙トレイに移動させる移動手段と、
前記移動手段により前記第１の印刷物が前記第２の排紙トレイに移動させられた場合、前記第１のユーザのユーザ識別情報と、前記第１の印刷ジョブと、の関連付けを解除する解除手段と、を更に有する請求項１記載の画像形成装置。
【請求項３】
前記記憶手段は、前記第２の印刷ジョブを投入した第２のユーザを識別するユーザ識別情報と、前記第２の印刷ジョブと、を関連付けて記憶し、
前記判定手段は、前記検知手段により前記第２のユーザの接近が検知された場合、前記第２の印刷ジョブに基づき出力された第２の印刷物が前記第１の排紙トレイに存在するか否かを判定し、
前記警告手段は、前記第２の印刷ジョブに基づき出力された印刷物が前記第１の排紙トレイに存在すると判定された場合、前記第２のユーザに警告を行う請求項２記載の画像形成装置。
【請求項４】
通信端末装置との通信によりユーザの接近を検知する検知手段と、
前記検知手段により前記ユーザの接近が検知された場合、前記ユーザの認証を行う認証手段と、
前記認証手段により認証された前記ユーザの印刷ジョブが保留されたままか否かを判定する判定手段と、
前記判定手段により前記ユーザの印刷ジョブが保留されたままであると判定された場合、前記印刷ジョブを実行する実行手段と、
を有する画像形成装置。
【請求項５】
前記検知手段により前記ユーザの接近が検知された場合に、画像形成装置の状態がスリープ状態であった場合、スリープ状態からスタンバイ状態に復帰させる復帰手段を更に有し、
前記認証手段は、前記復帰手段により前記スタンバイ状態に復帰させられたあとに、前記ユーザの認証を行う請求項４記載の画像形成装置。
【請求項６】
スキャンジョブが実行されたあとに、通信端末装置との通信によりユーザが画像形成装置から離れたか否かを判定する判定手段と、
前記判定手段によりユーザが画像形成装置から離れたと判定された場合、前記スキャンジョブに関する原稿が残留しているか否かを検知する検知手段と、
前記検知手段により前記原稿が残留していることが検知された場合、前記ユーザに警告を行う警告手段と、
を有する画像形成装置。
【請求項７】
画像形成装置が実行する情報処理方法であって、
印刷ジョブを投入したユーザを識別するユーザ識別情報と、前記印刷ジョブと、を関連付けて記憶する記憶ステップと、
通信端末装置との通信により前記ユーザの接近を検知する検知ステップと、
接近が検知されたユーザのユーザ識別情報と関連付けられた前記印刷ジョブに基づき出力された印刷物が、排紙トレイに存在するか否かを判定する判定ステップと、
前記接近が検知されたユーザのユーザ識別情報と関連付けられた前記印刷ジョブに基づき出力された印刷物が排紙トレイに存在すると前記判定ステップにおいて判定された場合、前記ユーザに警告を行う警告ステップと、
を含む情報処理方法。
【請求項８】
画像形成装置が実行する情報処理方法であって、
通信端末装置との通信によりユーザの接近を検知する検知ステップと、
前記検知ステップにより前記ユーザの接近が検知された場合、前記ユーザの認証を行う認証ステップと、
前記認証ステップにより認証された前記ユーザの印刷ジョブが保留されたままか否かを判定する判定ステップと、
前記判定ステップにより前記ユーザの印刷ジョブが保留されたままであると判定された場合、前記印刷ジョブを実行する実行ステップと、
を含む情報処理方法。
【請求項９】
画像形成装置が実行する情報処理方法であって、
スキャンジョブが実行されたあとに、通信端末装置との通信によりユーザが画像形成装置から離れたか否かを判定する判定ステップと、
前記判定ステップによりユーザが画像形成装置から離れたと判定された場合、前記スキャンジョブに関する原稿が残留しているか否かを検知する検知ステップと、
前記検知ステップにより前記原稿が残留していることが検知された場合、前記ユーザに警告を行う警告ステップと、
を含む情報処理方法。
【請求項１０】
コンピュータに、
印刷ジョブを投入したユーザを識別するユーザ識別情報と、前記印刷ジョブと、を関連付けて記憶する記憶ステップと、
通信端末装置との通信により前記ユーザの接近を検知する検知ステップと、
接近が検知されたユーザのユーザ識別情報と関連付けられた前記印刷ジョブに基づき出力された印刷物が、排紙トレイに存在するか否かを判定する判定ステップと、
前記接近が検知されたユーザのユーザ識別情報と関連付けられた前記印刷ジョブに基づき出力された印刷物が排紙トレイに存在すると判定された場合、前記ユーザに警告を行う警告ステップと、
を実行させるためのプログラム。
【請求項１１】
コンピュータに、
通信端末装置との通信によりユーザの接近を検知する検知ステップと、
前記検知ステップにより前記ユーザの接近が検知された場合、前記ユーザの認証を行う認証ステップと、
前記認証ステップにより認証された前記ユーザの印刷ジョブが保留されたままか否かを判定する判定ステップと、
前記判定ステップにより前記ユーザの印刷ジョブが保留されたままであると判定された場合、前記印刷ジョブを実行する実行ステップと、
を実行させるためのプログラム。
【請求項１２】
コンピュータに、
スキャンジョブが実行されたあとに、通信端末装置との通信によりユーザがコンピュータから離れたか否かを判定する判定ステップと、
前記判定ステップによりユーザがコンピュータから離れたと判定された場合、前記スキャンジョブに関する原稿が残留しているか否かを検知する検知ステップと、
前記検知ステップにより前記原稿が残留していることが検知された場合、前記ユーザに警告を行う警告ステップと、
を実行させるためのプログラム。
【手続補正２】
【補正対象書類名】明細書
【補正対象項目名】０００６
【補正方法】変更
【補正の内容】
【０００６】
そこで、本発明の画像形成装置は、印刷ジョブを投入したユーザを識別するユーザ識別情報と、前記印刷ジョブと、を関連付けて記憶する記憶手段と、通信端末装置との通信により前記ユーザの接近を検知する検知手段と、接近が検知されたユーザのユーザ識別情報と関連付けられた前記印刷ジョブに基づき出力された印刷物が、排紙トレイに存在するか否かを判定する判定手段と、前記接近が検知されたユーザのユーザ識別情報と関連付けられた前記印刷ジョブに基づき出力された印刷物が排紙トレイに存在すると前記判定手段により判定された場合、前記ユーザに警告を行う警告手段と、を有する。